(57)【要約】【課題】目標車速と実車速との偏差を０へ収束させるようにエンジン出力を制御する定速走行手段を備えるオートクルーズ装置において、トランスミッションを走行状態に適合する変速段に制御する自動変速手段を併用することにより、高度なイージドライブ性を実現する。【解決手段】Ｓ１〜Ｓ３，Ｓ７により、定速走行の制御中に車両の加速要求または減速要求が発生すると実車速＋所定値Ａを目標車速に設定する手段と、加速要求または減速要求の発生が停止するとその時点の実車速を目標車速に固定する手段と、車両の加減速に伴って自動変速の制御が起動されるとその変速制御中は定速走行の制御を中止すると共に変速制御が完了すると定速走行の制御へ自動的に復帰させる手段と、その復帰時に変速直前の目標車速＋所定値Ｂを実車速＋所定値Ａに達するまで目標車速に設定する手段と、を構成する。【選択図】　　　　図２
2004142702.tif 000002
【特許請求の範囲】
【請求項１】
目標車速と実車速との偏差を０へ収束させるようにエンジン出力を制御する定速走行手段を備えるオートクルーズ装置において、トランスミッションを走行状態に適合する変速段に制御する自動変速手段と、定速走行の制御中に車両の加速要求または減速要求が発生すると実車速＋所定値Ａを目標車速に設定する手段と、加速要求または減速要求の発生が停止するとその時点の実車速を目標車速に固定する手段と、車両の加減速に伴って自動変速の制御が起動されるとその変速制御中は定速走行の制御を中止すると共に変速制御が完了すると定速走行の制御へ自動的に復帰させる手段と、その復帰時に変速直後の実車速＋所定値Ｂを実車速＋所定値Ａに達するまで目標車速に設定する手段と、を備えたことを特徴とするオートクルーズ装置。
【請求項２】
所定値Ａは、復帰時の実車速を起点に所定角αの勾配をもって変化する初期特性を備えることを特徴とする請求項１に記載のオートクルーズ装置。
【請求項３】
所定値Ａおよび所定角αは、トランスミッションの変速段に応じて設定することを特徴とする請求項２に記載のオートクルーズ装置。
【請求項４】
所定値Ａおよび所定角αは、トランスミッションが低速段ほど小さく、高速段ほど大きく設定することを特徴とする請求項３に記載のオートクルーズ装置。
【請求項５】
所定値Ｂは、復帰時に変速直後の実車速を起点に所定角βの勾配をもって変化する初期特性を備えることを特徴とする請求項１に記載のオートクルーズ装置。
【請求項６】
所定値Ｂおよび所定角βは、トランスミッションの変速段に応じて設定することを特徴とする請求項５に記載のオートクルーズ装置。
【請求項７】
所定値Ｂおよび所定角βは、トランスミッションが低速段ほど小さく、高速段ほど大きく設定することを特徴とする請求項６に記載のオートクルーズ装置。
【請求項８】
目標車速と実車速との偏差を０へ収束させるようにエンジン出力を制御する定速走行手段を備えるオートクルーズ装置において、トランスミッションを走行状態に適合する変速段に制御する自動変速手段と、運転操作に基づき定速走行の制御を中止する手段と、人為操作に基づき定速走行の制御への復帰要求を発生する手段と、その復帰時にもとの目標車速へ達するまで実車速＋所定値Ｃを目標車速に設定する手段と、を備えることを特徴とするオートクルーズ装置。
【請求項９】
所定値Ｃは、復帰時の実車速を起点に所定角γの勾配をもって変化する初期特性を備えることを特徴とする請求項８に記載のオートクルーズ装置。
【請求項１０】
所定値Ｃおよび所定角γは、トランスミッションの変速段に応じて設定することを特徴とする請求項９に記載のオートクルーズ装置。
【請求項１１】
所定値Ｃおよび所定角γは、トランスミッションが低速段ほど小さく、高速段ほど大きく設定することを特徴とする請求項１０に記載のオートクルーズ装置。
【発明の詳細な説明】
【０００１】
【発明の属する技術分野】
この発明は、オートクルーズ装置に関する。
【０００２】
【従来の技術】
定速走行装置として、車両の走行中に目標車速が設定されると、実車速を目標車速と一致させるようにエンジン出力および変速を制御するようにしたものが開示される（特許文献１）。
【０００３】
【特許文献１】
特開平１１−４８８２３号
【０００４】
【発明が解決しようとする課題】
この発明は、このような従来技術を踏まえながら、高度なイージドライブ性を確保しようとするものである。
【０００５】
【課題を解決するための手段】
第１の発明は、目標車速と実車速との偏差を０へ収束させるようにエンジン出力を制御する定速走行手段を備えるオートクルーズ装置において、トランスミッションを走行状態に適合する変速段に制御する自動変速手段と、定速走行の制御中に車両の加速要求または減速要求が発生すると実車速＋所定値Ａを目標車速に設定する手段と、加速要求または減速要求の発生が停止するとその時点の実車速を目標車速に固定する手段と、車両の加減速に伴って自動変速の制御が起動されるとその変速制御中は定速走行の制御を中止すると共に変速制御が完了すると定速走行の制御へ自動的に復帰させる手段と、その復帰時に変速直後の実車速＋所定値Ｂを実車速＋所定値Ａが追いつくまで目標車速に設定する手段と、を備えたことを特徴とする。
【０００６】
第２の発明は、第１の発明に記載の所定値Ａは、復帰時の実車速を起点に所定角αの勾配をもって変化する初期特性を備えることを特徴とする。
【０００７】
第３の発明は、第２の発明に記載の所定値Ａおよび所定角αは、トランスミッションの変速段に応じて設定することを特徴とする。
【０００８】
第４の発明は、第３の発明に記載の所定値Ａおよび所定角αは、トランスミッションが低速段ほど小さく、高速段ほど大きく設定することを特徴とする。
【０００９】
第５の発明は、第１の発明に記載の所定値Ｂは、復帰時に変速直後の実車速を起点に所定角βの勾配をもって変化する初期特性を備えることを特徴とする。
【００１０】
第６の発明は、第５の発明に記載の所定値Ｂおよび所定角βは、トランスミッションの変速段に応じて設定することを特徴とする。
【００１１】
第７の発明は、第６の発明に記載の所定値Ｂおよび所定角βは、トランスミッションが低速段ほど小さく、高速段ほど大きく設定することを特徴とする。
【００１２】
第８の発明は、目標車速と実車速との偏差を０へ収束させるようにエンジン出力を制御する定速走行手段を備えるオートクルーズ装置において、トランスミッションを走行状態に適合する変速段に制御する自動変速手段と、運転操作に基づき定速走行の制御を中止する手段と、人為操作に基づき定速走行の制御への復帰要求を発生する手段と、その復帰時にもとの目標車速へ達するまで実車速＋所定値Ｃを目標車速に設定する手段と、を備えることを特徴とする。
【００１３】
第９の発明は、第８の発明に記載の所定値Ｃは、復帰時の実車速を起点に所定角γの勾配をもって変化する初期特性を備えることを特徴とする。
【００１４】
第１０の発明は、第９の発明に記載の所定値Ｃおよび所定角γは、トランスミッションの変速段に応じて設定することを特徴とする。
【００１５】
第１１の発明は、第１０の発明に記載の所定値Ｃおよび所定角γは、トランスミッションが低速段ほど小さく、高速段ほど大きく設定することを特徴とする。
【００１６】
【発明の効果】
第１の発明においては、定速走行の制御中（アクセルペダルの踏み量は０％）に車両の加速要求または減速要求が発生すると、実車速＋所定値Ａに目標車速が設定される。エンジン出力は、この目標車速と実車速との偏差を０に収束するように制御される。これにより、実車速が目標車速へ接近しようとすると、その実車速から目標車速は実車速＋所定値Ａに離れ、目標車速の変化に実車速が追随するため、車両の加速または減速が可能となる。加速要求または減速要求の発生が停止すると、その時点の実車速が新たな目標車速に固定され、この目標車速と実車速との偏差を０に収束するようにエンジン出力を制御する定速走行が継続される。
【００１７】
車両の加減速に伴って自動変速の制御が起動すると、その変速制御中はエンジン出力の無駄（エンジンの吹き上がり）を防止するため、定速走行の制御が中止され、エンジン出力の制御は自動変速の制御に従うことになり、自動変速の制御が完了すると、定速走行の制御が再開（復帰）される。自動変速の制御中は、動力の伝達が遮断されるので、実車速の変化率が小さくなるが、定速走行の制御への復帰時に変速直後の実車速＋所定値Ｂが目標車速に設定され、これに実車速＋所定値Ａが追いつくまでの間、エンジン出力は、目標車速（変速直後の実車速＋所定値Ｂ）と実車速との偏差を０に収束するように制御される。このため、車両の加速または減速の途中において、自動変速の制御が入り、定速走行の制御が中止されるが、自動変速の完了直後から所定期間、エンジン出力が高め（実車速＋所定値Ａよりも大）に制御されるので、自動変速の制御前の加速感または減速感を自動変速の制御後に維持しえることになり、違和感（もたつき感，息継ぎ感）のない円滑な加減速が得られるようになる。
【００１８】
定速走行の制御は、車両の加減速時に継続され、自動変速の制御を併用することにより、高度なイージドライブ性（アクセルペダル操作およびシフトアップ操作またはシフトダウン操作の不要化）を実現できるのである。
【００１９】
第２の発明においては、所定値Ａの初期特性により、エンジン出力の急激な変動が緩和され、車両の定速走行から加速走行または減速走行へのショックのない円滑な移行が得られるようになる。
【００２０】
第３の発明においては、トランスミッションの変速段により、車両の加速感または減速感に差を生じるが、所定値Ａおよび所定角αは、変速段に応じて設定されるので、変速段による差のない、加速感または減速感の確保が図れる。
【００２１】
第４の発明においては、加速感または減速感は、低速段ほど大きく、高速段ほど小さくなるが、所定値Ａおよび所定角αは、低速段ほど小さく、高速段ほど大きく設定されるので、変速段による差のない、加速感または減速感が得られるようになる。
【００２２】
第５の発明においては、所定値Ｂの初期特性により、エンジン出力の急激な変動が緩和され、自動変速の制御から定速走行の制御（加速制御または減速制御）へのショックのない円滑な復帰が得られるようになる。
【００２３】
第６の発明においては、トランスミッションの変速段により、車両の加速感または減速感に差を生じるが、所定値Ｂおよび所定角βは、変速段に応じて設定されるので、変速段による差のない、加速感または減速感の確保が図れる。
【００２４】
第７の発明においては、加速感または減速感は、低速段ほど大きく、高速段ほど小さくなるが、所定値Ｂおよび所定角βは、低速段ほど小さく、高速段ほど大きく設定されるので、変速段による差のない、加速感または減速感が得られるようになる。
【００２５】
第８の発明においては、ブレーキなどの運転操作により、定速走行の制御は中止されるが、人為操作に基づき定速走行の制御への復帰要求を発生する手段を備えるので、定速走行の制御を再開させるのに目標車速の設定からやり直す煩わしさがなく、定速走行の制御へ簡便に復帰できるようになる。その復帰後、エンジン出力は、もとの目標車速（定速走行の制御の中止前の目標車速）と実車速との偏差を０に収束させるように制御されるが、実車速との偏差が過大な場合もあり、もとの目標車速と実車速との偏差に相当する制御量を一気に発生させると、エンジン出力の変動が大き過ぎてショックの発生する可能性が考えられる。そのため、人為操作に基づく定速走行の制御への復帰時においては、実車速＋所定値Ｃが目標車速に設定され、これがもとの目標車速へ達するまでの間、エンジン出力は、目標車速（実車速＋所定値Ｃ）と実車速との偏差を０に収束するように制御される。これにより、エンジン出力の変動も緩和され、ショックのない円滑な復帰が可能となり、実車速をもとの目標車速へ近づけられるようになる。
【００２６】
第９の発明においては、所定値Ｃの初期特性により、エンジン出力の急激な変動が緩和され、さらに円滑な復帰が得られるようになる。
【００２７】
第１０の発明においては、トランスミッションの変速段により、実車速がもとの目標車速へ接近する加速感または減速感に差を生じるが、所定値Ｃおよび所定角γは、変速段に応じて設定されるので、変速段による差のない、実車速の加速感または減速感の確保が図れる。
【００２８】
第１１の発明においては、実車速がもとの目標車速へ接近する加速感または減速感は、低速段ほど大きく、高速段ほど小さくなるが、所定値Ｃおよび所定角γは、低速段ほど小さく、高速段ほど大きく設定されるので、変速段による差のない、実車速の加速感または減速感が得られるようになる。
【００２９】
【発明の実施の形態】
図１において、１はディーゼルエンジン、２は摩擦クラッチ、３は歯車式トランスミッションであり、トランスミッション３の出力軸はプロペラシャフト４を介してリヤアクスル５に連結される。エンジン１の燃料噴射ポンプにその噴射量を制御する電子ガバナ装置、クラッチ２にこれを断続するクラッチアクチュエータ、トランスミッション３にそのギヤシフトを遂行するギヤシフトユニット、が設けられる。
【００３０】
１０は電子ガバナ装置を制御するエンジン（ＥＮＧ）コントロールユニット、１１はギヤシフトユニットおよびクラッチアクチュエータを制御するトランスミッション（Ｔ／Ｍ）コントロールユニットであり、これらはＣＡＮ通信で結ばれ、互いの制御に必要な情報を交換しながら、車両の変速および定速走行を制御するようになっている。
【００３１】
ＥＮＧコントロールユニット１０およびＴ／Ｍコントロールユニット１１により構成される制御系においては、燃料噴射ポンプの噴射量を検出するラック位置センサ、アクセルペダルの踏み量を検出するペダル開度センサ、車速（Ｔ／Ｍのメインシャフト回転速度）を検出する車速センサ、Ｔ／Ｍのシフト位置（ニュートラル位置を含む）を検出するシフト位置センサ、目標段の回転速度（Ｔ／Ｍのカウンタシャフト回転速度）を検出するギヤ回転センサ、クラッチの断続状態を検出するクラッチ位置センサ、が設けられる。
【００３２】
運転室においては、変速の制御に係る操作手段（シフトレバーユニット，ＥＤモードＳＷ）、定速走行の制御に係る操作手段（メインＳＷ，セットＳＷ，リジュームＳＷ，加速ＳＷ，減速ＳＷ）、が配置される。ブレーキペダルが踏まれると作動（ＯＮ）するブレーキＳＷが備えられる。
【００３３】
シフトレバーユニットは、運転者のレバー操作に応じてＨ（ホールド）信号，Ｎ（ニュートラル）信号，Ｒ（リバース）信号，ＵＰ（シフトアップ）信号，ＤＯＷＮ（シフトダウン）信号を選択的に出力する。ＥＤモードＳＷは、変速の制御モードを切り替えるためのものであり、ＳＷのＯＮにより自動変速モード、ＳＷのＯＦＦにより手動変速モード、が選択される。
【００３４】
自動変速モードが選択されると、アクセル開度（通常走行の制御時はペダル開度センサの検出信号、定速走行の制御時はラック位置センサの検出信号）および実車速（車速センサの検出信号）に基づいて、変速マップから目標段を求め、Ｔ／Ｍの現在段（シフト位置センサの検出信号）と一致しないときに目標段へのギヤシフトを制御する。
【００３５】
手動変速モードが選択されると、シフトレバーユニットの出力信号に応じてギヤシフトを制御する。シフトレバーユニットの出力がＮ信号の場合、Ｔ／Ｍがニュートラルでないときにギヤ抜きを行う。シフトレバーユニットの出力がＨ信号の場合、Ｔ／Ｍを現在位置に保持する。シフトレバーユニットの出力がＲ信号の場合、後退段を目標段にギヤシフトを制御する。シフトレバーユニットの出力がＵＰ信号の場合、Ｔ／Ｍの現在段＋１段を目標段にギヤシフトを制御する。シフトレバーユニットの出力がＤＯＷＮ信号の場合、Ｔ／Ｍの現在段−１段を目標段にギヤシフトを制御する。
【００３６】
目標段へのギヤシフトは、一連の処理をもって制御される。すなわち、クラッチを切断する。ついで、Ｔ／Ｍがニュートラルでないときにギヤ抜きを行う。その後、クラッチを接続し、エンジン回転速度を制御しながら、目標段のメインギヤ回転速度が同期領域に入ると、目標段へのギヤ入れを実行する。
【００３７】
自動変速モードまたは手動変速モードにおいては、ペダル開度センサ，ラック位置センサ，クラッチ位置センサ，シフト位置センサ，車速センサ，ギヤ回転センサ、の検出信号に基づいて、各種の処理を遂行すべく、クラッチアクチュエータ，ギヤシフトアクチュエータ，電子ガバナ装置、を制御するのである。
【００３８】
定速走行の制御については、目標車速が設定されると目標車速と実車速（車速センサの検出信号）との偏差を０に収束するようにエンジン出力（燃料噴射量）を制御する。メインＳＷおよびセットＳＷは、定速走行の制御の開始条件を成立させるものであり、メインＳＷがＯＮのときにセットＳＷがＯＮすると、その時点の実車速（車速センサの検出信号）を目標車速に設定する。
【００３９】
加速ＳＷは、ＳＷのＯＮにより定速走行の制御中に車両の加速要求を発生するものであり、ＳＷのＯＦＦにより加速要求の発生を停止する。減速ＳＷは、ＳＷのＯＮにより定速走行の制御中に車両の減速要求を発生するものであり、ＳＷのＯＦＦにより減速要求の発生を停止する。車両の加速要求または減速要求が発生すると定速走行の目標車速を実車速＋所定値Ａに切り替える手段と、車両の加速要求または減速要求の発生が停止するとその時点の実車速を目標車速に設定する手段と、車両の加減速に伴って自動変速の制御が起動されるとその変速制御中は定速走行の制御を中止すると共に変速制御が完了すると定速走行の制御へ自動的に復帰させる手段と、その復帰時に変速直後の実車速＋所定値Ｂをこれに実車速＋所定値Ａが追いつくまで目標車速に設定する手段と、が設けられる。
【００４０】
定速走行の制御中（アクセルペダルの踏み量は０％）において、車両の加速要求または減速要求が発生すると、実車速＋所定値Ａに目標車速が設定される。エンジン出力は、この目標車速（実車速＋所定値Ａ）と実車速との偏差を０に収束するように制御される。これにより、実車速が目標車速へ接近しようとすると、その実車速から目標車速は実車速＋所定値Ａに離れ、目標車速の変化に実車速が追随するため、車両の加速または減速が可能となる。加速要求または減速要求の発生が停止すると、その時点の実車速が新たな目標車速に固定され、この目標車速と実車速との偏差を０に収束するようにエンジン出力を制御する定速走行が継続される。
【００４１】
車両の加減速に伴って自動変速の制御が起動すると、その変速制御中はエンジン出力の無駄（エンジンの吹き上がり）を防止するため、定速走行の制御がクラッチの切断により中止され、エンジン出力の制御は自動変速の制御に従うことになり、自動変速の制御が完了すると、定速走行の制御が再開（復帰）される。自動変速の制御中は、動力の伝達が遮断されるので、実車速の変化率（加速度または減速度）が小さくなるが、定速走行の制御への復帰時に変速直後の実車速＋所定値Ｂが目標車速に設定され、これに実車速＋所定値Ａが追いつくまでの間、エンジン出力は、目標車速（変速直後の実車速＋所定値Ｂ）と実車速との偏差を０に収束するように制御される（図４、参照）。このため、車両の加速または減速の途中において、自動変速の制御が入り、定速走行の制御が中止されるが、自動変速の完了直後から所定期間、エンジン出力が高め（実車速＋所定値Ａよりも大）に制御されるので、自動変速の制御前の加速感または減速感を自動変速の制御後に維持しえることになり、図５の右側のような違和感（もたつき感，息継ぎ感）のない一定の加減速（または減速感）が得られるようになる。図５の左側は、定速走行の制御への復帰時に変速直後の実車速＋所定値Ｂをこれに実車速＋所定値Ａが追いつくまで目標車速に設定する手段を備えない場合の加速特性を表すものである。なお、自動変速の制御完了に基づく定速走行の制御への復帰時において、変速直後の実車速＋所定値Ｂの代わりに変速直前の目標車速＋所定値Ｂを目標車速に設定することも考えられる。
【００４２】
定速走行の制御は、車両の加減速時に継続され、自動変速の制御を併用することにより、高度なイージドライブ性（アクセルペダル操作およびシフトアップ操作またはシフトダウン操作の不要化）を実現できるのである。所定値Ａおよび所定値Ｂは、加速要求時は正（＋）、減速要求時は負（−）、の符号が付けられる。
【００４３】
所定値Ａは、復帰時の実車速を起点に所定角αの勾配をもって変化する初期特性を備える、所定値Ｂは、復帰時に変速直後の実車速を起点に所定角βの勾配をもって変化する初期特性を備える。所定値Ａ，Ｂおよび所定角α，βは、Ｔ／Ｍの変速段毎に低速段ほど小さく、高速段ほど大きくように設定される。
【００４４】
所定値Ａの初期特性により、エンジン出力の急激な変動が緩和され、車両の定速走行から加速走行または減速走行へのショックのない円滑な移行が得られるようになる。所定値Ｂの初期特性により、エンジン出力の急激な変動が緩和され、自動変速の制御から定速走行の加速制御または減速制御へのショックのない円滑な復帰が得られるようになる。車両の加速感または減速感は、Ｔ／Ｍの変速段（ギヤ比）により、低速段ほど大きく、高速段ほど小さくなるが、所定値Ａ，Ｂおよび所定角α，βは、低速段ほど小さく、高速段ほど大きく設定するので、変速段による差のない加速感または減速感が得られるようになる。
【００４５】
定速走行の制御においては、ブレーキの作動またはクラッチの切断を検出すると定速走行の制御を中止する（通常走行の制御へ移行させる）手段が備えられる。ブレーキの作動はブレーキＳＷのＯＮにより検出され、クラッチの切断はクラッチ位置センサの検出信号から検出される。リジュームＳＷは、ＳＷのＯＮにより定速走行の制御への復帰要求を発生するものであり、その復帰要求が発生すると、もとの目標車速（定速走行の制御の中止前の目標車速）へ達するまで実車速＋所定値Ｃを目標車速に設定する手段が設けられる。
【００４６】
定速走行の制御は、運転操作（ブレーキの作動またはクラッチの切断）により中止され、アクセルペダルの踏み量（ペダル開度センサの検出信号）に応じてエンジン出力が制御される通常走行へ移行する。定速走行の制御への復帰要求を発生するリジュームＳＷを備えるので、定速走行の制御を再開させるのに目標車速の設定からやり直す煩わしさがなく、定速走行の制御へ簡便に復帰できるようになる。その復帰後、エンジン出力は、もとの目標車速（定速走行の制御の中止前の目標車速）と実車速との偏差を０に収束させるように制御されるが、実車速との偏差が過大な場合もあり、もとの目標車速と実車速との偏差に相当する制御量（燃料噴射量）を一気に増減させると、エンジン出力の変動が大き過ぎてショックの発生する可能性が考えられる。その対策のため、リジュームＳＷのＯＮに基づく定速走行の制御への復帰時においては、実車速＋所定値Ｃが目標車速に設定され、これがもとの目標車速へ達するまでの間、エンジン出力は、目標車速（実車速＋所定値Ｃ）と実車速との偏差を０に収束するように制御されるのである。これにより、エンジン出力の変動も緩和され、ショックのない円滑な復帰が可能となり、実車速をもとの目標車速へ近づけられるようになる。
【００４７】
所定値Ｃは、加速時は正（＋）、減速時は負（−）、の符号が付けられる。所定値Ｃは、復帰時の実車速を起点に所定角γの勾配をもって変化する初期特性を備える。所定値Ｃおよび所定角γは、Ｔ／Ｍの変速段毎に低速段ほど小さく、高速段ほど大きくように設定される。
【００４８】
所定値Ｃの初期特性により、エンジン出力の急激な変動が緩和され、さらに円滑な復帰が得られるようになる。トランスミッションの変速段により、実車速がもとの目標車速へ接近する加速感または減速感に差を生じるが、所定値Ｃおよび所定角γは、低速段ほど小さく、高速段ほど大きく設定するので、変速段による差のない加速感または減速感が得られるようになる。
【００４９】
図２は、定速走行の制御内容（ＥＮＧコントロールユニット１０の処理内容）を説明する流れ図であり、Ｓ１においては、定速走行（オートクルーズ）の制御中かどうかを判定する。Ｓ２においては、リジュームＳＷのＯＮに基づく定速走行の制御への復帰がどうかを判定する。Ｓ３においては、自動変速の制御完了に基づく定速走行の制御への復帰かどうかを判定する。Ｓ１の判定がｎｏのときは、Ｓ４へ進み、通常走行の制御を行う。Ｓ１の判定がｙｅｓかつＳ２の判定がｎｏのときは、Ｓ５へ進み、定速走行の制御を行う。Ｓ１の判定がｙｅｓかつＳ２の判定がｙｅｓかつＳ３の判定がｎｏのときは、Ｓ６へ進み、リジュームＳＷのＯＮに基づく定速走行の制御への復帰を行う。Ｓ１の判定〜Ｓ３の判定がｙｅｓのときは、Ｓ７へ進み、自動変速の制御完了に基づく定速走行の制御への復帰を行う。
【００５０】
Ｓ４においては、通常走行時のエンジン出力をアクセルペダルの踏み量に応じた設定に制御する。Ｓ５，Ｓ８においては、定速走行時のエンジン出力を目標車速（運転者の設定に係る）と実車速との偏差を０に収束させる設定に制御する。Ｓ６，Ｓ８においては、定速走行時のエンジン出力を実車速＋所定値Ｃと実車速との偏差を０に収束させる設定および実車速＋所定値Ｃがもとの目標車速に達するとその目標車速と実車速との偏差を０に収束させる設定に制御する。Ｓ７，Ｓ８においては、定速走行時のエンジン出力を目標車速（変速直後の実車速＋所定値Ｂ）と実車速との偏差を０に収束する設定および実車速＋所定値Ａが目標車速（変速直後の実車速＋所定値Ｂ）に追いつくと実車速＋所定値Ａと実車速との偏差を０に収束させる設定に制御する。
【００５１】
Ｓ９においては、Ｓ４，Ｓ８の制御量を燃料噴射の増減量に変換して電子ガバナ装置へ出力するのである。図３は、リジュームＳＷのＯＮに基づく定速走行の制御への復帰に係る目標車速（実車速＋所定値Ｃ），自動変速の制御完了に基づく定速走行の制御への復帰に係る目標車速（変速直後の実車速＋所定値Ｂおよび実車速＋所定値Ａ）、を例示する特性図である。
【図面の簡単な説明】
【図１】この発明の実施形態を表すシステムの概要図である。
【図２】同じくＥＮＧコントロールユニットの制御内容を説明する流れ図である。
【図３】同じく目標車速を例示する特性図である。
【図４】同じく自動変速の制御完了後の目標車速を説明する特性図である。
【図５】同じく作用状態の説明図である。
【符号の説明】
１　エンジン（ディーゼルエンジン）
２　摩擦クラッチ
３　歯車式トランスミッション（Ｔ／Ｍ）
１０　ＥＮＧコントロールユニット
１１　Ｔ／Ｍコントロールユニット
【図１】
2004142702.tif 000003
【図２】
2004142702.tif 000004
【図３】
2004142702.tif 000005
【図４】
2004142702.tif 000006
【図５】
2004142702.tif 000007